(57)【特許請求の範囲】
【請求項１】
コンテンツを表示する表示部と、
前記表示部と同一面側に配置された複数のアンテナと、
前記複数のアンテナを選択的に切り替えるアンテナ切替え部と、
前記アンテナ切替え部により選択されたアンテナを用いて、情報端末装置と非接触通信を行う非接触通信部と、
第１コンテンツに対応づけて第２コンテンツを記憶するコンテンツ記憶部と、
前記第１コンテンツが選択された場合に、選択された第１コンテンツに対応する第２コンテンツを割り当てられたアンテナの位置に重畳して表示制御をするコンテンツ表示制御部と、
前記情報端末装置と非接触通信が行われた場合には、非接触通信が行われたアンテナから、当該アンテナに割り当てられた第２コンテンツに関する情報を前記情報端末装置に送信するコンテンツ情報送信部と、
を備えることを特徴とするコンテンツ表示装置。
【請求項２】
タッチ操作を検出するタッチ検出部を更に有し、
前記タッチ操作により、前記第１コンテンツを選択することが可能な請求項１に記載のコンテンツ表示装置。
【請求項３】
前記アンテナ切替え部は、前記情報端末装置と非接触通信が行われた場合に、非接触通信が行われたアンテナ以外にアンテナの切替えを行わないことを特徴とする請求項１又は２に記載のコンテンツ表示装置。
【請求項４】
前記コンテンツ表示制御部は、前記情報端末装置と非接触通信が行われた場合に、非接触通信が行われたアンテナ以外のアンテナに割り当てられた第２コンテンツは非表示とすることを特徴とする請求項１から３の何れか一項に記載のコンテンツ表示装置。
【請求項５】
前記コンテンツ表示制御部は、前記情報端末装置と非接触通信が行われた場合に、非接触通信が行われたアンテナ以外のアンテナに割り当てられた第２コンテンツは、非接触通信が行われているアンテナに割り当てられた第２コンテンツの表示とは異なる表示とすることを特徴とする請求項１から３の何れか一項に記載のコンテンツ表示装置。
【請求項６】
コンテンツを表示する表示部と、
前記表示部と同一面側に配置された複数のアンテナと、
前記複数のアンテナを選択的に切り替えるアンテナ切替え部と、
前記アンテナ切替え部により選択されたアンテナを用いて、情報端末装置と非接触通信を行う非接触通信部と、
を備えるコンテンツ表示装置を制御するプログラムであって、
第１コンテンツに対応づけて第２コンテンツを記憶するコンテンツ記憶機能と、
前記第１コンテンツが選択された場合に、選択された第１コンテンツに対応する第２コンテンツを割り当てられたアンテナの位置に重畳して表示するコンテンツ表示機能と、
前記情報端末装置と非接触通信が行われた場合には、非接触通信が行われたアンテナから、当該アンテナに割り当てられた第２コンテンツに関する情報を前記情報端末装置に送信するコンテンツ情報送信機能と、
を前記コンテンツ表示装置に実現させるプログラム。
【請求項７】
情報端末装置と、前記情報端末装置と通信可能なコンテンツ表示装置とを含むコンテンツ転送システムにおいて、
前記コンテンツ表示装置は、
コンテンツを表示する表示部と、
前記表示部と同一面側に配置された複数のアンテナと、
前記複数のアンテナを選択的に切り替えるアンテナ切替え部と、
前記アンテナ切替え部により選択されたアンテナを用いて、前記情報端末装置と非接触通信を行う非接触通信部と、
第１コンテンツに対応づけて第２コンテンツを記憶するコンテンツ記憶部と、
前記第１コンテンツが選択された場合に、選択された第１コンテンツに対応する第２コンテンツを割り当てられたアンテナの位置に重畳して表示制御するコンテンツ表示制御部と、
前記情報端末装置と非接触通信が行われた場合には、非接触通信が行われたアンテナから、当該アンテナに割り当てられた第２コンテンツに関する情報を前記情報端末装置に送信するコンテンツ情報送信部と、
を備え、
前記情報端末装置は、前記非接触通信部を介して、前記第２コンテンツに関する情報を転送することを特徴とするコンテンツ転送システム。
【発明の詳細な説明】
【技術分野】
【０００１】
本発明は、コンテンツ表示装置等に関する。
【背景技術】
【０００２】
近年、ＮＦＣ（Near Field Communication）など非接触型ＩＣカードを用いて非接触通信を行う機器が増えている。これら非接触型通信を行うためには通信用のアンテナだけではなく、相手の非接触通信装置からの電波を取得し、通信制御を行うためのリーダーライター装置（以下、「ＲＷ装置」）が必要となる。
【０００３】
これらの非接触通信装置を用いてコンテンツ表示端末装置と、利用者の情報端末装置との間でデータを送受するような用途も提案されている。例えば広告用のディスプレイの横に設置されたアンテナに情報端末装置でタッチを行うと表示されている広告がタッチした情報端末装置にダウンロードされる、というような用途については実施されている（例えば、特許文献１参照）。
【０００４】
一方、コンテンツ表示装置は大画面化を迎えており、特に広告表示のためのコンテンツ表示装置の場合には大画面の表示、かつ、利用者からのフィードバックを得るためにタッチ操作が可能になっているものもある。
【０００５】
これらの大画面コンテンツ表示装置にて非接触通信をサポートする場合、多くは表示装置とは別にＲＷ装置を設ける。ただし、これではどのタイミングでタッチを行えばよいのかなど利用者が分かりづらいということがあり、従来例のように、表示装置に非接触通信を追加するような用途が提案されている。また従来例にもあるように表示装置の大画面化を踏まえ、複数の非接触通信アンテナを表示装置上に設ける提案もなされている。
【先行技術文献】
【特許文献】
【０００６】
【特許文献１】特許第３５０６９３９号公報
【発明の概要】
【発明が解決しようとする課題】
【０００７】
しかしながら、コンテンツ表示装置上に複数の非接触通信アンテナとＲＷ装置を設けると、その数だけコストがかかってしまう。また、ＲＷ装置の積載場所の確保も必要となり、表示装置のハードウェア設計上大きな制約条件となってしまうという問題点があった。
【０００８】
また、電力や通信制御も設けられた数だけ複雑となる。通常非接触通信はデータを取得する際に一時的に必要となることが多く、一時的な用途のためにコストをかけることは難しい。
【０００９】
また、利用者から見た場合には複数の通信装置がただ並んでいるだけでは、どの通信装置にタッチを行えばよいかわからず、どの通信装置にタッチを行っても同じ動作が行われるのであれば、タッチ位置を変える意味がなかった。
【００１０】
また、従来はタッチパネルで予め取得したいサービスを選択してから、情報端末装置にコンテンツ情報を転送することが一般的であった。例えば、図２８を使って説明すると、まず表示装置に表示されたフロアマップから、必要となる店舗をタッチして選択する（Ｔ１０００）。
【００１１】
次に、タッチされた店舗であるＡ飲食店に対応するコンテンツ（サービス）が、画面上に表示される。その中で、必要となるコンテンツは利用者が選択する（Ｔ１００２）。選択されたコンテンツを、情報端末装置に送信するために、利用者は非接触アンテナ（Ｔ１００４）に情報端末装置１００３をかざす。
【００１２】
これにより、所望するコンテンツが情報端末装置３に送信されるが、複数の操作が必要となり、また直感的な操作ではなかったので利用しやすいものでなかった。
【００１３】
とくに、ショッピングセンター等に設置される大型のコンテンツ表示装置の場合、利用者は子供から大人、老人といった幅広い人が利用する。このような場合、複数の操作を要求することにより、使い勝手が良くなかった。
【００１４】
とくに、近年の大規模なショッピングセンターは店舗数が多かったり、利用者ニーズの細分化からコンテンツを増やしたりする必要があり、その傾向は顕著であった。
【００１５】
上述した課題を解決するために、本願発明の目的は、複数の非接触通信アンテナを表示装置上で利用することにより、アンテナに割り当てられて表示されたコンテンツを利用することで直感的な操作で利用者にコンテンツに関する情報を提供することができるコンテンツ表示装置等を提供することである。
【課題を解決するための手段】
【００１６】
上述した課題を解決するために、本発明のコンテンツ表示装置は、
コンテンツを表示する表示部と、
前記表示部と同一面側に配置された複数のアンテナと、
前記複数のアンテナを選択的に切り替えるアンテナ切替え部と、
前記アンテナ切替え部により選択されたアンテナを用いて、情報端末装置と非接触通信を行う非接触通信部と、
第１コンテンツに対応づけて第２コンテンツを記憶するコンテンツ記憶部と、
前記第１コンテンツが選択された場合に、選択された第１コンテンツに対応する第２コンテンツを割り当てられたアンテナの位置に重畳して表示制御をするコンテンツ表示制御部と、
前記情報端末装置と非接触通信が行われた場合には、非接触通信が行われたアンテナから、当該アンテナに割り当てられた第２コンテンツに関する情報を前記情報端末装置に送信するコンテンツ情報送信部と、
を備えることを特徴とする。
【００１７】
本発明のプログラムは、
コンテンツを表示する表示部と、
前記表示部と同一面側に配置された複数のアンテナと、
前記複数のアンテナを選択的に切り替えるアンテナ切替え部と、
前記アンテナ切替え部により選択されたアンテナを用いて、情報端末装置と非接触通信を行う非接触通信部と、
を備えるコンテンツ表示装置を制御するプログラムであって、
第１コンテンツに対応づけて第２コンテンツを記憶するコンテンツ記憶機能と、
前記第１コンテンツが選択された場合に、選択された第１コンテンツに対応する第２コンテンツを割り当てられたアンテナの位置に重畳して表示制御をするコンテンツ表示制御機能と、
前記情報端末装置と非接触通信が行われた場合には、非接触通信が行われたアンテナから、当該アンテナに割り当てられた第２コンテンツに関する情報を前記情報端末装置に送信するコンテンツ情報送信機能と、
を前記コンテンツ表示装置に実現させることを特徴とする。
【００１８】
本発明のコンテンツ転送システムは、
情報端末装置と、前記情報端末装置と通信可能なコンテンツ表示装置とを含むコンテンツ転送システムにおいて、
前記コンテンツ表示装置は、
コンテンツを表示する表示部と、
前記表示部と同一面側に配置された複数のアンテナと、
前記複数のアンテナを選択的に切り替えるアンテナ切替え部と、
前記アンテナ切替え部により選択されたアンテナを用いて、前記情報端末装置と非接触通信を行う非接触通信部と、
第１コンテンツに対応づけて第２コンテンツを記憶するコンテンツ記憶部と、
前記第１コンテンツが選択された場合に、選択された第１コンテンツに対応する第２コンテンツを割り当てられたアンテナの位置に重畳して表示制御をするコンテンツ表示制御部と、
前記情報端末装置と非接触通信が行われた場合には、非接触通信が行われたアンテナから、当該アンテナに割り当てられた第２コンテンツに関する情報を前記情報端末装置に送信するコンテンツ情報送信部と、
を備え、
前記情報端末装置は、前記非接触通信部を介して、前記第２コンテンツに関する情報を転送することを特徴とする。
【発明の効果】
【００１９】
本発明によれば、表示部と同一面側に配置された複数のアンテナと、複数のアンテナを選択的に切り替えるアンテナ切替え部と、選択されたアンテナを用いて情報端末装置と非接触通信を行う非接触通信部とを備え、第１コンテンツが選択された場合に、選択された第１コンテンツに対応する第２コンテンツを割り当てられたアンテナの位置に重畳して表示する制御をし、情報端末装置と非接触通信が行われた場合には、非接触通信が行われたアンテナから、アンテナに割り当てられた第２コンテンツに関する情報を情報端末装置に送信することができる。
【００２０】
したがって、表示部に表示された第２コンテンツの中から、利用者はコンテンツに関する情報を情報端末装置に送信したい場合、その表示の上にかざすことにより、割り当てられたアンテナから情報を受信することができる。したがって、アンテナの配置を意識することなく、コンテンツに関する情報を取得することが可能となる。
【図面の簡単な説明】
【００２１】
【図１】第１実施形態に装置全体を説明するための図である。
【図２】第１実施形態におけるコンテンツ表示装置の機能構成を示すブロック図である。
【図３】第１実施形態におけるＮＦＣ通信部の機能構成を示すブロック図である。
【図４】第１実施形態における表示部、タッチ検出部、非接触アンテナの位置関係を説明するための図である。
【図５】第１実施形態における表示部、タッチ検出部、非接触アンテナの位置関係を説明するための図である。
【図６】第１実施形態におけるコンテンツデータのデータ構成を説明するための図である。
【図７】第１実施形態におけるアンテナ座標位置リストのデータ構成を説明するための図である。
【図８】第１実施形態におけるアンテナの配置と座標位置とを説明するための図である。
【図９】第１実施形態におけるアンテナ転送情報リストのデータ構成を説明するための図である。
【図１０】第１実施形態におけるメイン処理の動作フローである。
【図１１】第１実施形態におけるＮＦＣ割込処理の動作フローである。
【図１２】第１実施形態におけるＮＦＣ検出処理の動作フローである。
【図１３】第１実施形態における動作例を説明するための図である。
【図１４】第１実施形態における動作例を説明するための図である。
【図１５】第２実施形態におけるＮＦＣ検出処理の動作フローである。
【図１６】第２実施形態における動作例を説明するための図である。
【図１７】第３実施形態におけるＮＦＣ検出処理の動作フローである。
【図１８】第３実施形態における動作例を説明するための図である。
【図１９】第４実施形態におけるコンテンツデータのデータ構成を説明するための図である。
【図２０】第４実施形態におけるアンテナ転送情報リストのデータ構成を説明するための図である。
【図２１】第４実施形態におけるメイン処理の動作フローである。
【図２２】第４実施形態における動作例を説明するための図である。
【図２３】第４実施形態における動作例を説明するための図である。
【図２４】第４実施形態における動作例を説明するための図である。
【図２５】第４実施形態における動作例を説明するための図である。
【図２６】第４実施形態における動作例を説明するための図である。
【図２７】第４実施形態における動作例を説明するための図である。
【図２８】従来技術を説明するための図である。
【発明を実施するための形態】
【００２２】
以下、本発明の実施の形態を添付図面を参照して説明する。なお、本実施形態では、一例として、本発明におけるコンテンツ表示装置を、例えばショッピングモール等に設置されるインフォメーションディスプレイを例に説明するが、他の表示装置でも適用可能なことは勿論である。
【００２３】
［１．第１実施形態］
［１．１  全体構成］
まず、第１実施形態における全体構成について、図１を用いて説明する。図１は、コンテンツ表示装置１を示した図である。本実施形態では、縦置き（縦方向の解像度が多い状態）で装置が設置されている。
【００２４】
このようなコンテンツ表示装置１は、例えばショッピングモールや、駅、イベント会場等において種々の情報を表示するために設置されている。例えば、通信により受信されたコンテンツを表示することで、様々な情報（コンテンツ）を切り替えて表示することができる。
【００２５】
さらに、当該情報について、利用者がアクセスしやすいような工夫がされている。例えば、二次元コード（ＱＲコード（登録商標））を表示したりする場合や、赤外線によりコンテンツ情報を送信する装置が考えられる。
【００２６】
本実施形態では、近距離無線通信の一つである非接触通信（ＮＦＣ（Near Field Communication））を用いて、利用者の情報端末装置３にコンテンツ情報を送信している。
【００２７】
利用者が、情報端末装置３をコンテンツ表示装置１にかざす（タッチする）ことにより、ＮＦＣにより通信が開始される。これにより、指定されたコンテンツ情報が、情報端末装置３に転送されることとなる。
【００２８】
このように、本実施形態では、コンテンツ表示装置１と、情報端末装置３とを含むコンテンツ転送システムとして説明する。なお、コンテンツ表示装置１／情報端末装置３は複数備えていても良い。また、一又は複数のコンテンツ表示装置１に、コンテンツ制御装置として別の装置が接続されており、以下の具体的な処理については、コンテンツ制御装置が実現することとしても良い。
【００２９】
［１．２  機能構成］
続いて、本実施形態におけるコンテンツ表示装置１の機能構成について、図２を用いて説明する。図２に示すように、コンテンツ表示装置１は、制御部１１０と、ＮＦＣ通信部１２０と、ＮＷ（Network）通信部１３０と、表示部１４０と、タッチ検出部１５０と、記憶部１６０とを備えて構成されている。
【００３０】
制御部１１０は、コンテンツ表示装置１の全体を制御するための機能部である。制御部１１０は、記憶部１６０に記憶されている各種プログラムを読み出して実行することにより各種機能を実現しており、例えばＣＰＵ（Central Process Unit）等により構成されている。
【００３１】
ＮＦＣ通信部１２０は、非接触通信を行う為の機能部である。例えば、ＩＳＯ／ＩＥＣ  １４４４３や、ＩＳＯ／ＩＥＣ  １８０９２（Ｆｅｌｉｃａ（登録商標））等の規格により通信が行われる。
【００３２】
ここで、ＮＦＣ通信部１２０について、図３を用いて詳細に説明する。ＮＦＣ通信部１２０は、非接触アンテナ１２１０と、アンテナ切替え手段１２２０と、アンテナ制御手段１２３０と、非接触通信手段１２４０とを備えて構成されている。
【００３３】
ここで、非接触アンテナ１２１０は、複数のアンテナから構成されている。例えば、第１非接触アンテナ１２１０ａ、第２非接触アンテナ１２１０ｂ、・・・、第ｎ非接触アンテナ１２１０ｎを有している。
【００３４】
これらの複数の非接触アンテナは、アンテナ切替え手段１２２０に接続されている。このアンテナ切替え手段１２２０により、利用可能なアンテナが切り替えられる。また、この切替え制御については、アンテナ制御手段１２３０が行っている。なお、本実施形態では、ＮＦＣ通信部１２０をモジュールと説明しているので、アンテナ制御手段１２３０を設けているが、制御部１１０が行っても良い。
【００３５】
非接触通信手段１２４０は、コンテンツ表示装置１が情報端末装置３と非接触通信（例えば、ＮＦＣ通信）を行うための通信部である。情報端末装置３のＮＦＣ通信部と、非接触アンテナを介して通信を行うこととなる。ここで、本実施形態では、非接触アンテナ１２１０を、所定時間（例えば、１０ｍｓ）毎に順次切り替える構成となっている。なお、非接触アンテナ１２１０を切り替える時間としては、予め定められていても良いし、設定により切り替えられるようにしても良い。また、コンテンツの種類や、時間によって切り替える設定（例えば、店舗開店直後や閉店間際は間隔を長くしたり、休日は間隔を短くしたりするような設定）としても良い。
【００３６】
なお、通信の一例として、情報端末装置３のＮＦＣ通信部１２０が、例えば第２非接触アンテナ１２１０ｂで検出した場合について説明する。この場合、アンテナ切替え手段１２２０は、第２非接触アンテナ１２１０ｂに使用するアンテナを固定する。そして、非接触通信手段１２４０は、第２非接触アンテナ１２１０ｂを介して、情報端末装置３と通信を行うこととなる。
【００３７】
ＮＷ（Network）通信部１３０は、ネットワーク（例えば、無線ＬＡＮや、３Ｇ携帯通信網、ＬＴＥ通信網）に接続し、他の装置、サーバ等と通信を行うための機能部である。例えば、ＮＷ通信部１３０を介してコンテンツを受信したりする。
【００３８】
表示部１４０は、各種情報を表示するための表示装置である。例えば、液晶ディスプレイ（ＬＣＤ）や、有機ＥＬパネル等により構成されている。
【００３９】
タッチ検出部１５０は、利用者のタッチ操作を検出するための機能部である。タッチを検出する方式としては、抵抗膜方式、赤外線方式、電磁誘導方式、静電容量方式等といった何れの方法を用いてもよい。また、表示部１４０と、タッチ検出部１５０とを一体に形成して、タッチパネルとして利用されるのが一般的である。
【００４０】
ここで、図４及び図５を用いて、各装置の構成について説明する。すなわち、表示部１４０の表示パネルの上に、タッチ検出部１５０が設けられている。これにより、利用者からのタッチ入力を検出することができる。
【００４１】
また、タッチ検出部１５０の上に、非接触アンテナ１２１０が配置されている。これにより、表示部１４０でコンテンツが表示されている上に、利用者が情報端末装置３をタッチすることにより、ＮＦＣを利用した通信が可能となる。
【００４２】
なお、表示部１４０と、タッチ検出部１５０との間に非接触アンテナ１２１０を配置しても同様の効果は得られる。
【００４３】
また、後述するが、表示部１４０上には複数の非接触アンテナ１２１０が配置されている。これにより、コンテンツに応じて、利用する非接触アンテナ１２１０を決定することとなる。
【００４４】
記憶部１６０は、コンテンツ表示装置１の動作に必要な各種プログラムや、各種データが記憶されている機能部である。記憶部１６０は、例えば、半導体メモリや、ＨＤＤ（Hard Disk Drive）等により構成されている。
【００４５】
また、記憶部１６０には、コンテンツデータ１６２と、アンテナ座標位置テーブル１６４と、転送コンテンツ情報テーブル１６６とが記憶されている。ここで、コンテンツデータ１６２の一例について、図６を用いて説明する。
【００４６】
図６に示すように、コンテンツデータ１６２は、コンテンツ情報が親、子の階層的に記憶されている。親コンテンツ（例えば、「Ａ飲食店」）に対して、子コンテンツのコンテンツ情報（例えば、子コンテンツＡ「来店予約」、子コンテンツＢ「ドリンク無料券」、子コンテンツＣ「デザート無料券」、子コンテンツＤ「５％ＯＦＦクーポン」）とが記憶されている。
【００４７】
親コンテンツに対して、子コンテンツのコンテンツ情報は１又は複数記憶されている。また、図６では模式的に表しているが、各コンテンツ情報は、適切なサービスに対応づけられたコンテンツ情報が記憶される。
【００４８】
例えば、来店予約や、指定席券購入等といったサービスであれば、当該ＷＥＢサイトにアクセスするのに必要なＵＲＬが含まれていたり、サービスを提供するアプリケーションを起動したりする信号が含まれていて良い。
【００４９】
また、電子マネーの精算等では、電子マネーのアプリケーション等と連携することにより、例えばＦｅｌｉｃａ（登録商標）に記憶されている電子マネーを決済できることとしても良い。また、クーポン等については、クーポンとして機能するテキスト情報、例えばトルカ（登録商標）に代表されるサービスが利用出来れば良い。
【００５０】
さらに、子コンテンツのコンテンツ情報には、例えば表示される図や文字、アイコン等の情報が含まれていても良い。
【００５１】
アンテナ座標位置テーブル１６４は、アンテナと表示部１４０における座標とを対応づけて管理するテーブルである。アンテナ座標位置テーブル１６４の一例を図７に示す。アンテナ番号に、表示部１４０における座標を対応づけて記憶している。
【００５２】
ここで、座標は図８に示すように、各アンテナ（１２１０ａ、１２１０ｂ、１２１０ｃ、１２１０ｄ、１２１０ｅ、１２１０ｆ）と、そのアンテナを検知可能な座標とを記憶している。
【００５３】
転送コンテンツ情報テーブル１６６は、各非接触アンテナと、対応するコンテンツとを対応づけて記憶しているテーブルである。図９に示すように、アンテナ番号と、現在のコンテンツ情報とが対応づけて記憶されている。
【００５４】
コンテンツ情報が「ＯＦＦ」となっている場合は、該当する非接触アンテナは利用されないこととなる。すなわち、アンテナ切替え手段１２２０は、コンテンツ情報「ＯＦＦ」以外の非接触アンテナを切り替えながら検出処理を実行することとなる。
【００５５】
ここで、情報端末装置３に転送されるコンテンツ情報がわかればよいため、コンテンツ情報を直接転送コンテンツ情報テーブル１６６に記憶する場合と、相対的に記憶する場合がある。直接記憶する場合は、コンテンツデータ１６２に記憶されているコンテンツ情報が、転送コンテンツ情報テーブル１６６に記憶される。
【００５６】
情報端末装置３にコンテンツ情報を転送（送信）するときは、転送コンテンツ情報テーブル１６６に記憶されたコンテンツ情報を利用する。
【００５７】
それに対して、図９の状態のまま、すなわち相対的な位置を記憶しても良い。例えば、情報端末装置３がアンテナ４にかざされた場合、図９によれば「子コンテンツＢ」のコンテンツ情報が送信されることとなる。そこで、図６のコンテンツデータ１６２を参照すると、現在の親コンテンツ（例えば「Ａ飲食店」）における子コンテンツＢ（例えば「ドリンク無料券」）の情報を読み出し、情報端末装置３に送信する。
【００５８】
［１．３  処理の流れ］
続いて、第１実施形態における処理の流れについて、説明する。本実施形態においては、メイン処理が実行されており、ＮＦＣ機能を有する情報端末装置が非接触アンテナが通信可能となった状態で、図１１のＮＦＣ割り込み処理が実行され、図１２のＮＦＣ検出処理が実行される。
【００５９】
［１．３．１  メイン処理］
続いて本実施形態のメイン処理について図１０を用いて説明する。図１０のメイン処理は、本実施形態においてメインで実行される処理であり、例えば情報端末装置３等をかざしていない状態のときに実行されている処理である。
【００６０】
まず、親コンテンツが表示される（ステップＳ１０２）。ここで、親コンテンツとしては、ＷＥＢページであっても良いし、ドキュメントファイルであっても良い。また、画像ファイルや、動画ファイルといったメディアファイルであって良いし、テキストファイルであっても良い。
【００６１】
このとき、利用者からタッチを検出すると（ステップＳ１０４；Ｙｅｓ）、タッチされた座標を検出する。そして、現在検出された座標から座標位置を検出し（ステップＳ１０６）、選択された親コンテンツを識別する（ステップＳ１０８）。
【００６２】
続いて、選択された親コンテンツに基づいて、子コンテンツに関するコンテンツ情報である子コンテンツ情報を取得する（ステップＳ１１０）。取得された子コンテンツ情報に基づいて、子コンテンツの表示、転送コンテンツ情報を更新する（ステップＳ１１２）。
【００６３】
具体的には、非接触アンテナに対応する位置に、子コンテンツ情報を示す文字や図等を表示する。また、転送コンテンツ情報テーブル１６６が更新される。ここで、転送コンテンツ情報テーブル１６６に具体的なコンテンツ情報を記憶しても良いし、コンテンツデータ１６２を参照してコンテンツ情報を読み出し可能と構成してもよい。
【００６４】
また、上述したように、相対的な位置でコンテンツ情報を取得する場合については、転送コンテンツ情報テーブル１６６の更新が不要なことは当然である。この場合は、コンテンツを情報端末装置３に転送するときに、複数のテーブルを参照することになる。
【００６５】
[１．３．２  ＮＦＣ割込処理]
続いて、図１１を用いてＮＦＣ割込処理について説明する。ＮＦＣ割込処理は、情報端末装置３をかざした場合、すなわちＮＦＣ通信を検出したときに（ステップＳ１２２；Ｙｅｓ）、ＮＦＣ検出処理が実行される（ステップＳ１２４）。本処理は、常時起動している処理であり、ＮＦＣ通信が検出された場合に実行されることとなる。
【００６６】
［１．３．３  ＮＦＣ検出処理］
続いて、図１２を用いてＮＦＣ検出処理について説明する。まず、ＮＦＣ通信が行われたアンテナ番号を検出する（ステップＳ１５２）。そして、検出されたアンテナ番号に対応するコンテンツ情報（この場合は子コンテンツ情報）を取得する（ステップＳ１５４）。
【００６７】
ここで、コンテンツ情報が存在する場合には（ステップＳ１５６；Ｙｅｓ）、取得したコンテンツ情報を情報端末装置に送信する（ステップＳ１５８）。
【００６８】
このように、本実施形態によれば、最初親コンテンツに対応して必要に応じた子コンテンツが表示されることになる。そして、情報端末装置３にて、子コンテンツの表示をタッチするだけで所望するコンテンツ情報（本実施形態の場合は子コンテンツ情報）が、情報端末装置３へ送信されることとなる。
【００６９】
このように、表示されている子コンテンツ情報に情報端末装置で直接タッチするという直感的な操作が実現可能となり、多くの利用者にとって、使い勝手の良い、利便性の高いコンテンツ表示装置を提供することが可能となる。
【００７０】
［１．４  動作例］
本実施形態の動作例について、図を用いて説明する。図１３は、表示部１４０に、非接触アンテナ１２１０を配置した図を模式的に示している図である。例えば、アンテナ１として第１非接触アンテナ１２１０ａ、アンテナ２として第２非接触アンテナ１２１０ｂ、アンテナ３として第３非接触アンテナ１２１０ｃ、アンテナ４として第４非接触アンテナ１２１０ｄ、アンテナ５として第５非接触アンテナ１２１０ｅ、アンテナ６として第６非接触アンテナ１２１０ｆを配置している。
【００７１】
そして、表示部１４０の領域Ｒ１０２に親コンテンツを表示し、ＮＦＣ配置領域Ｒ１０４に、子コンテンツを表示している。子コンテンツは、各コンテンツが対応するＮＦＣ通信部（アンテナ）に重畳して表示されている。
【００７２】
例えば、第５非接触アンテナ１２１０ｅの上には、「デザート無料券」を示す表示であるマークＭ１０２が表示されている。なお、本図では説明のために非接触アンテナ１２１０ｅを点線で表示しているが、実際にはアンテナは利用者にとっては視認困難な状態で設けられている。
【００７３】
また、第６非接触アンテナ１２１０ｆの上にも「５％ＯＦＦクーポン」を示す子コンテンツを示すマークＭ１０４が表示されている。この子コンテンツを示すマークは、アンテナに重畳して表示されることとしても良いし、アンテナの中に表示されても良い。すなわち、利用者が情報端末装置３をかざすときに、非接触アンテナと通信可能となる位置に来るよう、ガイド表示となれば良い。
【００７４】
図１３において、第５非接触アンテナ１２１０ｅの位置に情報端末装置３がタッチされると、デザート無料券の子コンテンツ情報が情報端末装置３に送信される。また、第１非接触アンテナ１２１０ａの位置に情報端末装置３がタッチされても何も実行されない。
【００７５】
親コンテンツを切り替えた状態が図１４である。親コンテンツを切り替えることにより、親コンテンツの表示が切り替わり、併せて子コンテンツの表示も切り替わっている。たとえば、このとき、第６非接触アンテナ１２１０ｆの位置に情報端末装置３がタッチされると、会員登録用のＷＥＢページのＵＲＬが子コンテンツ情報として送信される。これにより、利用者は会員登録を容易に行うことが可能となる。
【００７６】
このように、本実施形態によれば、表示されている親コンテンツに応じて、子コンテンツを変化させることが出来るコンテンツ表示装置１を実現することが可能である。そして、表示された子コンテンツの上で情報端末装置３をかざす（タッチする）ことにより、子コンテンツ情報が情報端末装置３に送信されることとなる。
【００７７】
また、現在選択されているコンテンツによって切り替え対象とするアンテナの数や位置を変更することを可能とし、切り替え対象となっているアンテナの場所を利用者に示すことにより、簡便な操作を行うことができるようにする。
【００７８】
［２．第２実施形態］
続いて、第２実施形態について説明する。本実施形態では、コンテンツ表示装置１のアンテナの切替えについて制御している図である。図１５は、第１実施形態における図１２のＮＦＣ検出処理を置き換えた処理であり、他の処理、機能構成は第１実施形態と同様であるため、説明を省略する。
【００７９】
まず、ＮＦＣ通信が行われたアンテナ番号を検出する（ステップＳ２０２）。続いて、検出されたアンテナ番号のコンテンツ情報を取得する（ステップＳ２０４）。ここで、当該アンテナ番号にコンテンツ情報が無い場合（例えば、「ＯＦＦ」となっている場合）には、何も処理を行わない（ステップＳ２０６；Ｎｏ）。
【００８０】
コンテンツ情報が含まれている場合には、検出されたアンテナ番号以外のアンテナの切替えを停止する（ステップＳ２０８）。具体的には、アンテナ制御手段１２３０の制御命令により、アンテナ切替え手段１２２０が、現在検出されているアンテナ番号の非接触アンテナと、非接触通信手段１２４０との接続を行うこととなる。これにより、複数のアンテナにそれぞれ割り当てられた複数の子コンテンツ情報を、同時には取得できないようにすることができる。
【００８１】
また、他の子コンテンツの表示を消去する（ステップＳ２１０）。これにより、利用者も現在取得する子コンテンツを視認することができる。そして、関連する子コンテンツ情報を、情報端末装置３へ送信する（ステップＳ２１２）。
【００８２】
動作例を図１６に示す。図１６は、図１３の動作例を、本実施形態に適用した状態の図である。第５非接触アンテナ１２１０ｅに情報端末装置３をかざすことにより、通信可能となった状態の図である。このとき、「デザート無料券」という子コンテンツが、マークＭ２０２として表示されている。
【００８３】
ここで、図１３と比較すると、図１３は、各非接触アンテナ上に子コンテンツを示す表示がされていたのに対して、図１６では、現在通信されている非接触アンテナ１２１０ｅ以外の子コンテンツの表示がなくなっている。
【００８４】
これにより、利用者は他の子コンテンツを選択することもない。また、仮に他の非接触アンテナと通信しようとしても、アンテナ切替え手段により選択されているアンテナは第５非接触アンテナ１２１０ｅだけであるため、他のアンテナとは通信できない。
【００８５】
［３．第３実施形態］
続いて第３実施形態について説明する。第２実施形態は、選択されていない子コンテンツは非表示としたが、本実施形態はグレーアウトとする実施形態である。図１７は、第１実施形態における図１２のＮＦＣ検出処理を置き換えた処理であり、他の処理、機能構成は第１実施形態と同様であるため、説明を省略する。
【００８６】
まず、ＮＦＣ通信が行われたアンテナ番号を検出する（ステップＳ３０２）。続いて、検出されたアンテナ番号のコンテンツ情報を取得する（ステップＳ３０４）。ここで、当該アンテナ番号にコンテンツ情報が無い場合（例えば、「ＯＦＦ」となっている場合）には、何も処理を行わない（ステップＳ３０６；Ｎｏ）。
【００８７】
コンテンツ情報が含まれている場合には、検出されたアンテナ番号以外のアンテナの切替えを停止する（ステップＳ３０８）。具体的には、アンテナ制御手段１２３０の制御命令により、アンテナ切替え手段１２２０が、現在検出されているアンテナ番号の非接触アンテナと、非接触通信手段１２４０との接続を行うこととなる。これにより、複数のアンテナにそれぞれ割り当てられた複数の子コンテンツ情報を、同時には取得できないようにすることができる。
【００８８】
また、他の子コンテンツ情報を取得不可の表示に切替える（ステップＳ３１０）。これにより、利用者も現在取得するコンテンツを視認することができる。取得不可の表示としては、他のコンテンツを示すマークをグレーアウトしたり、色を変更したり、点滅表示させたりと言ったことが可能である。
【００８９】
また、逆に現在選択中のコンテンツの表示の色を変えたり、点滅表示を行ったり、輝度を変えたりといった特別表示を行うことで、相対的に他のコンテンツが取得不可であることを示しても良い。
【００９０】
そして、選択された子コンテンツに関する子コンテンツ情報を、情報端末装置３へ送信する（ステップＳ３１２）。
【００９１】
動作例を図１８に示す。図１８は、図１３、図１６の動作例を、本実施形態に適用した状態の図である。第５非接触アンテナ１２１０ｅに情報端末装置３をかざすことにより、通信可能となった状態の図である。このとき、「デザート無料券」という子コンテンツが、マークＭ３０２として表示されている。
【００９２】
ここで、図１６と比較すると、図１６では、現在通信されている第５非接触アンテナ１２１０ｅ以外の子コンテンツの表示がなくなっているのと比較し、本実施形態では選択された子コンテンツ以外は、グレーアウト表示されている。
【００９３】
これにより、利用者は他の子コンテンツを選択することもない。また、仮に他の非接触アンテナと通信しようとしても、アンテナ切替え手段により選択されているアンテナは第５非接触アンテナ１２１０ｅだけであるため、他のアンテナとは通信できない。
【００９４】
また、完全に非表示ではないことから、利用者が再度別の子コンテンツを選びなおす場合に、検討をすることができる。例えば、デザート無料券を取得しているが、ドリンク無料券に選び直すといったことが検討できる。
【００９５】
また、友人や家族と言った複数の利用者がいた場合は、一人が子コンテンツ情報を取得している場合に、他の利用者が次に選択するコンテンツを検討するといったことが可能となる。
【００９６】
［４．第４実施形態］
続いて第４実施形態について説明する。第４実施形態は、コンテンツを階層的に利用する実施形態について説明する。
【００９７】
図１９は、本実施形態におけるコンテンツデータ１６２の一例を示す図である。本実施形態では、階層的に孫コンテンツまで含まれている。例えば、親コンテンツ「フロアガイドMAP」に対応する子コンテンツとして、各ショップの情報（例えば、「サイトＵＲＬ」）がある。また別の例として、親コンテンツ「ショップリスト」に対応する子コンテンツとして、「Ａレストラン」「Ｂ洋品店」「Ｃ音楽店」「Ｄ喫茶店」がある。
【００９８】
そして、子コンテンツとなる各ショップの情報である子コンテンツ「Ａレストラン」に対応して孫コンテンツ（例えば、「メニューリスト」）が記憶されている。
【００９９】
図２０は、本実施形態における転送コンテンツ情報テーブル１６６の一例を示す図である。本実施形態では、アンテナ「５」の位置に子コンテンツを、アンテナ「６」の位置に「孫」コンテンツをそれぞれ表示する（割り当てる）こととして説明している。
【０１００】
図２１は、本実施形態におけるメイン処理である。図２１のメイン処理は、第１実施形態における図１０のメイン処理を置き換えた図である。なお、他の機能構成、処理については第１実施形態と同じであるため、その説明を省略する。
【０１０１】
図２１を用いて説明すると、まず、図１９に示すように「フロアガイドMAP」、「ショップリスト」、「ホテル」等の複数の親コンテンツの候補が表示される。表示された親コンテンツの中から、利用者により一の親コンテンツが選択されると（ステップＳ４０２）、親コンテンツを表示し、併せて子コンテンツ情報を取得して子コンテンツ表示する（ステップＳ４０４）。
【０１０２】
なお、子コンテンツ表示は、例えば親コンテンツに対応する子コンテンツのうち、孫コンテンツを有していないものは、転送するコンテンツであると判定し、転送コンテンツとして更新される。
【０１０３】
続いて、ここで同じ親コンテンツが再度選択されたか否かを判定する（ステップＳ４０６）。なお、コンテンツの選択とは、例えば表示画面上がタッチされると、タッチ位置された位置を検出する。そして、検出された位置に対応するコンテンツを選択する。
【０１０４】
なお、コンテンツが選択されれば良いため、例えばキー入力であって良いし、音声入力等であっても良い。その他にも、ジェスチャにより認識されたり、視線入力等により検出して選択されたりしても良い。
【０１０５】
続いて、同じ親コンテンツが選択されると（ステップＳ４０６；Ｙｅｓ）、選択された親コンテンツに対応する子コンテンツを表示する（ステップＳ４０８）。本実施形態では、一例として現在表示されている親コンテンツに基づいて、選択可能な子コンテンツを一覧表示することとなる。
【０１０６】
続いて、表示された子コンテンツの中から一又は複数の子コンテンツが選択されると（ステップＳ４１０；Ｙｅｓ）、選択された子コンテンツを選択候補として一度表示する（ステップＳ４１２）。ここでは、複数の子コンテンツをその都度選択しても良いし、一括で選択しても良い。また、一つであっても良いことは勿論である。
【０１０７】
そして、表示されている選択候補の子コンテンツから、更に選択されると（ステップＳ４１４；Ｙｅｓ）、当該子コンテンツに対応する孫コンテンツを転送コンテンツとして更新する（ステップＳ４１６）。
【０１０８】
なお、本実施形態では、説明の都合上逐次処理することとして説明しているが、途中で並列に処理をさせても良い。例えば、子コンテンツが表示されている状態で、他の親コンテンツが選択されると、再度ステップＳ４０４から実行される。
【０１０９】
また、途中で処理が戻った場合、選択候補とされている子コンテンツはそのままでも良いし、一度クリアされることとしてもよい。そのままの場合には、複数のコンテンツから子コンテンツを選択候補として表示することが可能となる。また、一度クリアされるとすると、現在表示（選択）されている親・子コンテンツに関するものだけが表示されるため、利用者にとって直感的に解りやすい表示となる。
【０１１０】
具体的な動作について、図２２〜図２７を用いて説明する。図２２は、親コンテンツが領域Ｒ４０２に表示された状態の図である。また、領域Ｒ４０４には、領域Ｒ４０２とは異なった形態で、別の親コンテンツが表示されており、「ショップリスト」「ホテル」「美術館」がタッチにより選択できるようになっている。
【０１１１】
さらに、非接触アンテナのところに子コンテンツ、孫コンテンツが表示出来るようになっている。本図では、領域Ｒ４０２に表示された親コンテンツに基づいて、子コンテンツの一つが第５非接触アンテナ１２１０ｅの上にマークＭ４０２として表示されている。すなわち、当該子コンテンツは、孫コンテンツを有していないため、そのまま表示される（コンテンツが転送される）こととなる。
【０１１２】
また、第６非接触アンテナ１２１０ｆの上は孫コンテンツが表示される予定の場所である。現在は子コンテンツが選択されていないことから、対応する孫コンテンツがなく、「画像を選択して下さい」というマークＭ４０４が選択されている。また、第１非接触アンテナ１２１０ａ、第２非接触アンテナ１２１０ｂ、第３非接触アンテナ１２１０ｃ、第４非接触アンテナ１２１０ｄについては、マークが表示されていない。
【０１１３】
この状態では、情報端末装置３を、第５非接触アンテナ１２１０ｅにかざすことにより、ＮＦＣ割込み処理が実行され、ＮＦＣ検出処理が続けて実行される。これにより、子コンテンツのコンテンツ情報が、情報端末装置３に転送される。
【０１１４】
また、他の非接触アンテナに情報端末装置３をかざしても、コンテンツ情報は転送されない。この場合、例えばアンテナ制御手段、アンテナ切替え手段により、他の非接触アンテナ（コンテンツが表示されていないアンテナ）には切り替えないという制御を行っても良い。
【０１１５】
本図において、親コンテンツである「ショップリスト」が選択された場合の図が図２３である。図２３は、親コンテンツであるショップリストに対応する子コンテンツとして、各ショップの識別表示が、領域Ｒ４１０に表示されている。例えば、Ａレストランを示すアイコンＬ４１０と、Ｂ洋品店を示すＬ４１２と、Ｃ音楽店を示すＬ４１４と、Ｄ喫茶店を示すＬ４１６とがそれぞれ表示されている。
【０１１６】
なお、識別表示としては図案化されたアイコンを使用しているが、例えば文字や記号といったものでも良いし、写真であっても良い。
【０１１７】
ここで、選択候補としてＤ喫茶店を選択する場合、まずＬ４１６のアイコンをドラッグして領域Ｒ４１０の外側に引きずり出すことにより、Ｌ４２２として選択する（図２４）。続けて、Ａレストランを選択する場合には、Ｌ４１０のアイコンをドラッグして領域Ｒ４１０の外側に引きずり出すことにより、選択候補として選択される（図２５）。この図の場合は、Ｌ４１０（Ｌ４２４）と、Ｌ４１６（Ｌ４２２）とが選択候補として選択されていることとなる。
【０１１８】
ここで、選択候補が２つあるが、この場合にＬ４２２を選択することとする。例えば、一例としてＬ４２２が選択されることにより、図１９における子コンテンツ「Ｄ喫茶店」に対応する孫コンテンツとして、割引クーポン画像のアイコンＭ４０６が表示される（図２６）。また、非接触アンテナ１２１０ｆも通信可能な状況となる。
【０１１９】
このとき、情報端末装置３を第６非接触アンテナ１２１０ｆにかざすことにより（図２７）、孫コンテンツ情報が転送されることとなる。情報端末装置３の表示画面Ｗ４１０には、孫コンテンツが表示されることにより、コンテンツが転送されたことを容易に把握することができる。
【０１２０】
なお、階層的なコンテンツとしては、親、子、孫としたが、更に階層を多くしてもよい。例えば、割引券の種類を表示させたり、メニューを細分化したりしても良い。
【０１２１】
［５．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【０１２２】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【０１２３】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【０１２４】
また、上述した実施形態では、ＮＦＣ通信が可能な情報端末装置を例に説明したが、端末装置ではなく、単なるＮＦＣ通信可能なカード（例えば、Ｓｕｉｃａ（登録商標）等の交通系カード、Ｅｄｙ（登録商標）等の電子マネー系カード、ポイントカード、会員証等）であっても良い。
【０１２５】
また、上述した実施形態では、コンテンツ表示装置として説明したが、ＮＦＣ通信部を有する表示装置に接続されるコンテンツ表示制御装置であっても良い。すなわち、コンテンツを表示する表示部１４０と、表示部と同一面側に配置された非接触アンテナ１２１０と、複数の非接触アンテナを選択的に切り替えるアンテナ切替え手段１２２０と、アンテナ切替え手段１２２０により選択されたアンテナを用いて、情報端末装置と非接触通信を行う非接触通信手段１２４０とを有する表示装置に、ＨＤＭＩ（登録商標）やＤＶＩ等といったインタフェースを介して、表示部にコンテンツを表示制御する表示制御装置であっても良い。
【符号の説明】
【０１２６】
１          ：コンテンツ表示装置
３          ：情報端末装置
１１０      ：制御部
１２０      ：ＮＦＣ通信部
１３０      ：ＮＷ通信部
１４０      ：表示部
１５０      ：タッチ検出部
１６０      ：記憶部
１６２      ：コンテンツデータ
１６４      ：アンテナ座標位置テーブル
１６６      ：転送コンテンツ情報テーブル
１２１０    ：非接触アンテナ
１２２０    ：アンテナ切替え手段
１２３０    ：アンテナ制御手段
１２４０    ：非接触通信手段
【図１】
0006509627.tif 000002
【図２】
0006509627.tif 000003
【図３】
0006509627.tif 000004
【図４】
0006509627.tif 000005
【図５】
0006509627.tif 000006
【図６】
0006509627.tif 000007
【図７】
0006509627.tif 000008
【図８】
0006509627.tif 000009
【図９】
0006509627.tif 000010
【図１０】
0006509627.tif 000011
【図１１】
0006509627.tif 000012
【図１２】
0006509627.tif 000013
【図１３】
0006509627.tif 000014
【図１４】
0006509627.tif 000015
【図１５】
0006509627.tif 000016
【図１６】
0006509627.tif 000017
【図１７】
0006509627.tif 000018
【図１８】
0006509627.tif 000019
【図１９】
0006509627.tif 000020
【図２０】
0006509627.tif 000021
【図２１】
0006509627.tif 000022
【図２２】
0006509627.tif 000023
【図２３】
0006509627.tif 000024
【図２４】
0006509627.tif 000025
【図２５】
0006509627.tif 000026
【図２６】
0006509627.tif 000027
【図２７】
0006509627.tif 000028
【図２８】
0006509627.tif 000029